(57)【要約】【課題】栽培しやすく、容器を容易に移し替えることができ、鑑賞用としても優れた水耕栽培用容器を提供すること。【解決手段】上面と下面を開放した筒体からなる水耕栽培用容器であって、筒体の内部に、筒体の下面を塞ぐ第一吸水層、肥料層、第二吸水層、及び筒体の上面を塞ぐ固定層を順次備える水耕栽培用容器、及び上記水耕栽培用容器を収納する収納容器からなる水耕栽培キット。【選択図】図１
2018027038.tif 000002
【特許請求の範囲】
【請求項１】
上面と下面を開放した筒体からなる水耕栽培用容器であって、
前記筒体の内部に、
前記筒体の下面を塞ぐ、スポンジ状のフェノール樹脂又はポリウレタンからなる第一吸水層と、
前記第一吸水層の上に、肥料及び防腐剤を含む肥料層と、
前記肥料層の上に、スポンジ状のフェノール樹脂又はポリウレタンからなる第二吸水層と、
前記第二吸水層の上に、前記筒体の上面を塞ぐ発泡ウレタンからなる固定層と、
を備え、
前記第二吸水層は、固定層と接する上面の中央に、鉛直方向に略円筒状の凹部を有し、
前記固定層は、前記凹部と鉛直方向に重なる貫通孔を有することを特徴とする水耕栽培用容器。
【請求項２】
前記筒体は、円筒状で、
前記筒体は、高さが１２ｃｍ以上２０ｃｍ以下で、外径が５ｃｍ以上１０ｃｍ以下であって、
前記第一吸水層の鉛直方向の高さは、２ｃｍ以上８ｃｍ以下であって、
前記第二吸水層の鉛直方向の高さは、２ｃｍ以上８ｃｍ以下であって、
前記固定層の鉛直方向の高さは、２ｃｍ以上４ｃｍ以下であって、
前記第二吸水層に設けた前記凹部は、鉛直方向の高さが２ｃｍ以上４ｃｍ以下で、直径が１ｃｍ以上３ｃｍ以下であることを特徴とする請求項１に記載の水耕栽培用容器。
【請求項３】
請求項１又は２に記載の水耕栽培用容器と、前記水耕栽培用容器を内部に収納する収納容器からなることを特徴とする水耕栽培キット。
【発明の詳細な説明】
【技術分野】
【０００１】
本発明は、栽培しやすく、収納容器を移し替えることができ、観賞にも適した水耕栽培用容器及び水耕栽培キットに関する。
【背景技術】
【０００２】
水耕栽培において、植物の生長に必要な養分は、液肥として与える。そのため、土と固体肥料を用いて鉢植え栽培する場合に比べて、土中に生息する微生物による病気や根腐れのおそれが少なく、簡単に植物を栽培することができる。
【０００３】
また、水耕栽培において液肥を用いることを利用して、水耕栽培用の容器を例えば透明な容器にすることで、植物の根の育成状況や、根腐れや液肥の減り具合を観察して栽培することができる。
【０００４】
一方で、水耕栽培は液肥によって簡単に植物を栽培できることから、室内に水耕栽培用の容器を設置することもあり、室内のインテリアの一つとして鑑賞に適した容器であることが好ましい。
【先行技術文献】
【特許文献】
【０００５】
【特許文献１】特開２００６−２７１３５５号公報
【特許文献２】特許第５４７６５００号公報
【０００６】
ここで、特許文献１には、水耕栽培用の容器を観賞用にすることを目的とする発明として、水耕栽培用の容器を観賞魚の水槽と一体化させた、水耕栽培用の容器が開示されている。
【０００７】
また、特許文献２には、水耕栽培用の容器を観賞魚の水槽と一体化させ、水耕栽培用の容器の一部に小窓を設けた水耕栽培用の容器が開示されている。
【発明の概要】
【発明が解決しようとする課題】
【０００８】
しかしながら、特許文献１及び２では、土中に生息する微生物による病気や根腐れのおそれが少ないという、水耕栽培の利点よりも、植物以外の魚等に由来する微生物が生じてしまい、逆に不衛生になってしまうという問題を有する。
【０００９】
したがって、本発明は、栽培しやすく、容器を容易に移し替えることができ、鑑賞用としても優れた水耕栽培用容器を提供することを目的する。
【課題を解決するための手段】
【００１０】
本発明の発明者は、上記課題に鑑み、鋭意研究を行った。その結果、上面と下面を開放した筒体であって、筒体の内部に、筒体の下面を塞ぐ第一吸水層、肥料層、第二吸水層、及び筒体の上面を塞ぐ固定層を順次備える水耕栽培用容器、及び上記水耕栽培用容器を収納する収納容器からなる水耕栽培キットによって、上記課題を解決できることを見出し、本発明を完成するに至った。
【００１１】
（１）  本発明の第一の態様は、上面と下面を開放した筒体からなる水耕栽培用容器であって、前記筒体の内部に、前記筒体の下面を塞ぐ、スポンジ状のフェノール樹脂又はポリウレタンからなる第一吸水層と、前記第一吸水層の上に、肥料及び防腐剤を含む肥料層と、前記肥料層の上に、スポンジ状のフェノール樹脂又はポリウレタンからなる第二吸水層と、前記第二吸水層の上に、前記筒体の上面を塞ぐ発泡ウレタンからなる固定層と、
を備え、前記第二吸水層は、固定層と接する上面の中央に、鉛直方向に略円筒状の凹部を有し、前記固定層は、前記凹部と鉛直方向に重なる貫通孔を有することを特徴とする水耕栽培用容器である。
【００１２】
（２）  本発明の第二の態様は、（１）に記載の水耕栽培用容器であって、前記筒体は、円筒状で、前記筒体は、高さが１２ｃｍ以上２０ｃｍ以下で、外径が５ｃｍ以上１０ｃｍ以下であって、前記第一吸水層の鉛直方向の高さは、２ｃｍ以上８ｃｍ以下であって、前記第二吸水層の鉛直方向の高さは、２ｃｍ以上８ｃｍ以下であって、前記固定層の鉛直方向の高さは、２ｃｍ以上３ｃｍ以下であって、前記第二吸水層に設けた前記凹部は、鉛直方向の高さが２ｃｍ以上３ｃｍ以下で、直径が１ｃｍ以上３ｃｍ以下であることを特徴とするものである。
【００１３】
（３）  本発明の第三の態様は、（１）又は（２）に記載の水耕栽培用容器と、前記水耕栽培用容器を内部に収納する収納容器からなることを特徴とする水耕栽培キットである。
【発明の効果】
【００１４】
本発明によれば、水耕栽培用容器の内部に肥料層を備えるため、水耕栽培用容器を収納する収納容器に液肥ではなく水を使用することができ、植物の栽培が容易である。また、収納容器に水を入れて栽培するため、水耕栽培用容器を他の収納容器に容易に移し替えることができる。また、収納容器は水耕栽培用容器を収納できる大きさで、観賞に適した収納容器を選択して用いることができる。
【図面の簡単な説明】
【００１５】
【図１】本発明の一実施例である水耕栽培用容器の斜視図である。
【図２】本発明の一実施例である水耕栽培用容器の図１のＡ−Ａ′断面図である。
【図３】本発明の一実施例である水耕栽培用容器と、当該水耕栽培用容器を収納する収納容器とからなる水耕栽培キットの斜視図であり、（ａ）はサンセベリアを栽培するときのイメージ図であり、（ｂ）はバラを栽培するときのイメージ図である。
【発明を実施するための形態】
【００１６】
以下、本発明の実施形態に係る水耕栽培用容器及び水耕栽培キットについて説明する。
【００１７】
＜水耕栽培用容器＞
図１は、本発明の一実施例である水耕栽培用容器１の斜視図であり、図２は、水耕栽培用容器１の図１のＡ−Ａ′断面図である。水耕栽培用容器１は、上面と下面を開放した筒体１１と、筒体１１の内部に、筒体１１の下面を塞ぐ第一吸水層１２と、第一吸水層１２の上に肥料層１３と、肥料層１３の上に第二吸水層１４と、第二吸水層１４の上に筒体１１の上面を塞ぐ固定層１６とを備える。
【００１８】
（筒体）
筒体１１は、上面と下面を開放した中空の筒である。筒体１１は、植物の根や生長度合いや育成環境から高さや幅方向の寸法を変更してもよく、例えば、室内に水耕栽培用容器１を置くことから、鉛直方向の高さは５ｃｍ以上５０ｃｍ以下であり、幅方向の寸法は５ｃｍ以上２０ｃｍ以下であることが好ましい。
【００１９】
筒体１１は、様々な形状の収納容器２１に収納できるように、円筒状であることが好ましく、外径は、５ｃｍ以上１０ｃｍ以下であることが好ましい。収納容器２１にビールジョッキ又は花瓶を用いる場合を想定して、鉛直方向の高さは８ｃｍ以上１２ｃｍ以下であり、外形は５ｃｍ以上６ｃｍ以下であることが好ましい。そして、栽培する植物がサンセベリア等の観葉植物の場合を想定して、高さが８ｃｍ以上１０ｃｍ以下としてもよい。これにより、収納容器２１の壁面で葉の広がりを制限し、かつ収納容器内での水耕栽培容器の遊動を防止することができる。
【００２０】
筒体１１の素材は耐水性のある素材であればよく、陶器、ガラス、並びにポリエチレン、ポリプロピレン、及び塩化ビニル等の合成樹脂が好ましく、より好ましくは塩化ビニルである。耐水性であると、水や液肥等の供給口が筒体１１の下面又は上面のみとなることから、水や液肥等の調整がしやすく、水や液肥等のやりすぎによる根腐れがなくなる。また、塩化ビニル等の合成樹脂であれば、成形、及び成形後の加工が容易である。
【００２１】
（第一吸水層）
第一吸水層１２は、上面と下面を開放した筒体１１の内部にあって、筒体１１の下面を塞ぐように設けられ、筒体１１の下面を塞ぐことができる形状に成形される。筒体１１にあらかじめ第一吸水層１２を設けておくと、水を張った収納容器２１に筒体１１を収納するだけで、筒体１１の重量でスポンジ状の第一吸水層１２が浮上することなく第一吸水層１２に水を浸潤させることができる。
【００２２】
収納容器２１にビールジョッキ又は花瓶を用いる場合を想定して、第一吸水層１２の鉛直方向の高さは２ｃｍ以上８ｃｍ以下であることが好ましい。これにより、収納容器２１内の水が枯渇したときでも、第一吸水層１２に浸潤した水分によって、すぐに水分不足となって植物が枯れるおそれが少なくなる。そして、栽培する植物がサンセベリア等の観葉植物の場合を想定して、第一吸水層１２の鉛直方向の高さは２ｃｍ以上５ｃｍ以下であってもよい。
【００２３】
第一吸水層１２は、スポンジ状の、フェノール樹脂又はポリウレタン等の合成樹脂であることが好ましく、生花用吸水スポンジであるフローラルフォームであることがより好ましい。
【００２４】
（肥料層）
肥料層１３は、上面と下面を開放した筒体１１の内部にあって、第一吸水層１２の上に設けられる。第一吸水層１２と第二吸水層１４との間に肥料層１３を設けることで、第一吸水層１２から浸潤した水に肥料層１３の肥料、及び防腐剤が溶解し、さらに、第二吸水層１４へと浸潤することで、収納容器２１に液肥ではなく、水を用いて水耕栽培することができる。
【００２５】
肥料層１３は、窒素、リン、カリウム、マグネシウム、カルシウム、及び亜鉛等の肥料と、防腐剤とを含む。さらに、活性炭もしくは竹炭、ゼオライト、麦飯石、サンゴ粒等を含むことが好ましく、麦飯石は発酵菌が付着しているものが好ましい。そして、肥料層１３は、肥料や防腐剤等が水透過性を有する袋によって収納されていることが好ましく、水透過性の不織布であることがより好ましい。
【００２６】
（第二吸水層）
第二吸水層１４は、上面と下面を開放した筒体１１の内部にあって、肥料層１３の上に設けられ、筒体１１の内部に収まる形状に成形される。第一吸水層１２の上に肥料層１３を設け、肥料層１３の上に第二吸水層１４を設けることで、第二吸水層１４は適度な水分と適度な肥料を備える層となり、かつ、凹部１５によって植物の根又は茎を固定することができる層となる。
【００２７】
また、収納容器２１にビールジョッキ又は花瓶を用いる場合を想定して、第二吸水層１４の鉛直方向の高さは２ｃｍ以上８ｃｍ以下が好ましい。これにより、収納容器２１内の水分が枯渇したときでも、第二吸水層１４に浸潤した水分によって、すぐに水分不足となって植物が枯れるおそれが少なくなる。そして、栽培する植物がサンセベリアの観葉植物の場合を想定して、第二吸水層１４の鉛直方向の高さは２ｃｍ以上５ｃｍ以下であってもよい。
【００２８】
第二吸水層１４は、固定層１６と接する上面の中央に、鉛直方向に略円筒状の凹部１５を有する。凹部１５には、植物の根や茎や葉を収納することができる。凹部１５の直径は特に制限はないが、例えば、挿し木をする際に根や茎や葉を固定しやすいように、２ｃｍ以上４ｃｍ以下が好ましく、サンセベリアのような観葉植物の場合には３ｃｍ程度とするのが好ましく、バラやツツジのような花卉や、シキミの枝木のように祭事や冠婚葬祭に用いる植物の場合には２ｃｍ程度が好ましい。また、凹部１５の鉛直方向の長さは特に制限はないが、例えば、根や茎や葉を収納しやすいように、２ｃｍ以上４ｃｍ以下が好ましく、サンセベリアのような観葉植物の場合には３ｃｍ程度とするのが好ましく、バラやツツジのような花卉の場合には２ｃｍ程度が好ましい。
【００２９】
第二吸水層１４に設けられた凹部１５には、観葉植物や花卉等の植物、又は当該植物の根や茎や葉を挿すことができ、サンセベリア、バラ、ツツジ、又はシキミであることが好ましい。サンセベリアは鉢植え栽培のときには、水のやりすぎで根腐れをおこしやすいことから栽培が難しい。また、サンセベリアを室内で栽培する際には、鉢植え栽培では、土中に生息する微生物による病気や根腐れが発生するおそれがあるため、注意深く栽培する必要がある。ところが、本発明の水耕栽培用容器１によれば、第二吸水層１４は肥料層１３の上に設けられ、スポンジ状のフェノール樹脂又はポリウレタンからなるため、第二吸水層１４は適度な水分と肥料を維持することができる。そのため、水のやりすぎや、土中に生息する微生物による病気や根腐れ等を気にすることなく、室内でサンセベリア等の観葉植物を栽培しやすい。また、本発明の水耕栽培用容器１によれば、バラや、ツツジ等の花卉や、シキミについても、水のやりすぎや、土中に生息する微生物による病気や根腐れ等を気にすることなく室内で栽培しやすい。
【００３０】
第二吸水層１４は、スポンジ状の、フェノール樹脂又はポリウレタンその他の合成樹脂であることが好ましく、生花用吸水スポンジであるフローラルフォームであることがより好ましい。
【００３１】
（固定層）
固定層１６は、上面と下面を開放した筒体１１の内部にあって、第二吸水層１４の上に、筒体１１の上面を塞ぐように設けられる。固定層１６の鉛直方向の高さは、筒体１１の上面を塞ぐことができる高さであれば特に制限はないが、挿し木をする際に根や茎や葉を固定しやすいように、２ｃｍ以上５ｃｍ以下であることが好ましく、サンセベリアのような観葉植物の場合には３ｃｍ程度とするのが好ましく、バラやツツジのような花卉や、シキミの枝木のように祭事や冠婚葬祭に用いる植物の場合には２ｃｍ程度が好ましい。
【００３２】
固定層１６は、第二吸水層１４に備わる、鉛直方向に略円筒状の凹部１５に対して、鉛直方向に重なる貫通孔１７を有する。貫通孔１７には、植物の根や茎や葉を収納することができる。貫通孔１７の直径は、凹部１５の直径と同じ長さであってもよいが、異なる長さであってもよい。
【００３３】
固定層１６は、発泡させた合成樹脂が好ましく、発泡ウレタンであることがより好ましい。
【００３４】
＜水耕栽培キット＞
水耕栽培キット２は、水耕栽培用容器１と、水耕栽培用容器１を収納する収納容器２１とからなる。
【００３５】
（収納容器）
収納容器２１は、水耕栽培用容器１を収納できる容器であり、例えば、陶器、ガラス、又は塩化ビニル等の合瀬樹脂等の容器でもよく、ビールジョッキ又は花瓶であり、ビール用の中ジョッキが好ましい。室内に水耕栽培キット２を設置する場合、ビールジョッキ又は花瓶であれば、様々な種類を用意することができ、水耕栽培用容器１を異なる収納容器２１に容易に移し替えることができ、また観賞にも適する。
【実施例】
【００３６】
以下の実施例により本発明をさらに具体的に説明する。なお、本発明はその要旨を超えない限り、以下の実施例の記載に限定されるものではない。
【００３７】
＜実施例１＞
実施例１は、本発明の一実施例である水耕栽培用容器であって、塩化ビニルからなる円筒状の筒体を水耕栽培用容器の外形とし、外径５ｃｍ、内径４．５ｃｍ、高さ８ｃｍとした。第一吸水層には、フローラルフォームとしてＯＡＳＩＳ（登録商標、スミザーズオアシスジャパン株式会社製）を用い、直径５ｃｍ、高さ２ｃｍとした。肥料層には、肥料及び防腐剤に、ルートン（登録商標、石原バイオサイエンス株式会社製）、ＨＢ１０１（商品名、株式会社フローラ）、活性炭、竹炭、ゼオライト、麦飯石、及びサンゴ粒を用い、水透過性の不織布を袋状にした中に収納した。第二吸水層には、フローラルフォームとしてＯＡＳＩＳ（登録商標、スミザーズオアシスジャパン株式会社製）を用い、直径５ｃｍ、高さ２ｃｍとした。また、第二吸水層には、固定層と接する上面の中央に、鉛直方向に略円筒状の凹部を設け、直径５ｃｍ、高さ２ｃｍとした。固定層には、スタイロフォーム（登録商標、ザ・ダウ・ケミカル・カンパニー製）を用い、直径５ｃｍ、高さ２ｃｍとした。固定層に設けた貫通孔は、第二吸水層に設けた凹部に重なるように配置した。
【００３８】
実施例１の水耕栽培用容器とした場合、肥料等を肥料層に備えているため、収納容器に水を張ることで、容易に水耕栽培ができる。また、実施例１の凹部と貫通孔の大きさによれば、サンセベリア等の観葉植物、又はバラやツツジ等の花卉やシキミ等の植物の根や茎や葉を容易に固定して、栽培することができる。
【００３９】
＜実施例２＞
実施例２は、図３（ａ）に示すような、本発明の一実施例である水耕栽培キットであって、水耕栽培用容器は実施例１の水耕栽培用容器を用い、収納容器はビール用の中ジョッキを用いた。また、固定層に設けた貫通孔と第二吸水層に設けた凹部にはサンセベリアの根、茎、又は葉が備わっている。
【００４０】
実施例２によれば、サンセベリアのように、葉が比較的長く、横に広がりやすい観葉植物であっても、収納容器としてビール用の中ジョッキを用いた場合には、収納容器の縁で葉の根元を支えることができるため、水耕栽培用容器を安定させることができる。また、収納容器は室内にあっても違和感がないビール用の中ジョッキであるため、観賞に適し、また、他のビール用の中ジョッキに水耕栽培用容器を移し替えることが容易である。
【００４１】
＜実施例３＞
実施例３は、図３（ｂ）に示すように、本発明の一実施例である水耕栽培キットである。塩化ビニルからなる円筒状の筒体を用い、外径５ｃｍ、内径４．５ｃｍ、高さ１２ｃｍとした。第一吸水層には、フローラルフォームとしてＯＡＳＩＳ（登録商標、スミザーズオアシスジャパン株式会社製）を用い、直径５ｃｍ、高さ２ｃｍとした。肥料層には、肥料及び防腐剤に、ルートン（登録商標、石原バイオサイエンス株式会社製）、ＨＢ１０１（商品名、株式会社フローラ）、活性炭、竹炭、ゼオライト、麦飯石、及びサンゴ粒を用い、水透過性の不織布を袋状にした中に収納した。第二吸水層には、フローラルフォームとしてＯＡＳＩＳ（登録商標、スミザーズオアシスジャパン株式会社製）を用い、直径５ｃｍ、高さ２ｃｍとした。また、第二吸水層には、固定層と接する上面の中央に、鉛直方向に略円筒状の凹部を設け、直径１ｃｍ、高さ２ｃｍとした。固定層には、スタイロフォーム（登録商標、ザ・ダウ・ケミカル・カンパニー製）を用い、直径５ｃｍ、高さ２ｃｍとした。固定層に設けた貫通孔は、第二吸水層に設けた凹部に重なるように配置した。収納容器はビール用の中ジョッキを用いた。また、固定層に設けた貫通孔と第二吸水層に設けた凹部にはバラの根又は茎が備わっている。
【００４２】
実施例３によれば、バラのように茎挿しによって挿し木ができる花卉に加え、ツツジやシキミにおいて、比較的植物の大きさが小さいときに、収納容器としてビール用の中ジョッキを用いた場合には、水耕栽培用容器の高さを収納容器の縁の高さ付近とすることで、水分を収納容器の上部であって水耕栽培用容器の上面がつからない程度まで満たすことができ、水耕栽培の際の水分管理を容易にすることができる。また、収納容器は室内にあっても違和感がないビール用の中ジョッキであるため、観賞に適し、また、他のビール用の中ジョッキに水耕栽培用容器を移し替えることが容易である。なお、凹部にシキミを挿す場合には、収納容器として、ビール用の中ジョッキではなく、陶磁器やグラス等を用いてもよい。
【符号の説明】
【００４３】
１    水耕栽培用容器
２    水耕栽培キット
１１  筒体
１２  第一吸水層
１３  肥料層
１４  第二吸水層
１５  凹部
１６  固定層
１７  貫通孔
２１  収納容器
【図１】
2018027038.tif 000003
【図２】
2018027038.tif 000004
【図３】
2018027038.tif 000005